(57)【要約】      （修正有）【課題】ポータブル電子デバイスのハウジング固定構造を提供する。【解決手段】本体１０、第一ハウジング、係合ロックアセンブリ１２、連棒１４、固定部品１８を備える。本体は配置エリア３６を備え、係合ロックアセンブリは配置エリアに設置し、第一係合ロック部品５６及び第一弾性部品６０を備え、第一弾性部品の弾力作用により第一係合ロック部品と第一ハウジングは相互に係合して接続する。連棒は配置エリア内に可動状に設置され、第一係合ロック部品を第一ハウジングに相対して押し移動させ、ロック解除する。固定部品は配置エリア内に設置し、第一凹部９４ａ及び作動端９６を備え、第一凹部が第一係合ロック部品に対応すると、第一係合ロック部品に移動のスペースを提供し、固定部品の第一凹部が第一係合ロック部品から離れると、第一ハウジングは本体上に設置され、固定されて定位を保持される。【選択図】図１
0003173530.tif 000002
【実用新案登録請求の範囲】
【請求項１】
ポータブル電子デバイスのハウジング固定構造であって、
本体、第一ハウジング、第一係合ロックユニット、第一弾性部品、連棒、固定部品を備え、
前記本体は、上側、下側、左側及び右側を備え、前記上側は、第一組立て部を備え、前記下側は、前記上側に相対し、しかも配置エリアを備え、前記配置エリアは、固定室を備え、
前記第一ハウジングは、第一上配置部と第一下配置部を備え、前記第一上配置部は、前記本体の第一組立て部に対応して組立てられ、前記第一下配置部は、前記本体の配置エリアに対応し、
前記第一係合ロックユニットは、前記本体の配置エリアに設置され、前記第一係合ロックユニットは、少なくとも固定台、固定部品、第一係合ロック部品及び第一弾性部品を備え、前記固定台は、第一孔を備え、しかも前記固定台と前記固定部品とは相互に合わせ、前記第一係合ロック部品は、前記固定台の第一孔に通して設置し、
前記第一弾性部品は、前記第一係合ロック部品と前記固定部品との間に位置し、弾力作用を前記第一係合ロック部品に提供し、これにより前記第一係合ロック部品の一部分は、前記固定台の第一孔から伸び出し、
前記連棒は、前記本体の配置エリア内に可動状態で設置し、しかも前記第一係合ロックユニットまで延伸し、前記連棒は、第一導引部を備え、前記第一導引部は、第一導引セクションを備え、前記第一係合ロック部品に対応し、
前記固定部品は、回転可能状態で、前記本体の配置エリア内に設置し、しかも前記第一係合ロックユニットまで延伸し、前記固定部品は、第一凹部及び作動端を備え、前記第一凹部は、前記第一係合ロックユニットの第一係合ロック部品に対応し、前記第一係合ロック部品に移動のスペースを提供し、
前記第一ハウジングは、前記本体上に設置され、前記第一係合ロック部品により、前記第一下配置部に係合してロックされ、前記固定部品が回され、前記第一凹部が前記第一係合ロック部品から離れると、前記固定部品は、前記第一係合ロック部品を押さえて固定することを特徴とするポータブル電子デバイスのハウジング固定構造。
【請求項２】
前記本体の配置エリアは、第一収容室、第二収容室、中間収容室及び通路を備え、前記第一収容室には、前記第一係合ロックユニットを設置し、前記中間収容室は、前記第一収容室と前記第二収容室との間に位置し、前記通路には、前記連棒を可動状態で設置し、しかも前記通路は、前記第一収容室、前記第二収容室及び前記中間収容室と相互に通じ、しかも前記通路は、前記本体の左側及び右側を貫通することを特徴とする請求項１に記載のポータブル電子デバイスのハウジング固定構造。
【請求項３】
前記連棒は、突出部、回帰ユニットを備え、前記回帰ユニットは、前記本体の中間収容室内に設置し、前記回帰ユニットは、ベース、第一ストッパー、第二ストッパー、第一バネ、第二バネ、第一押さえ部品及び第二押さえ部品を備え、前記ベースは、第一端、第二端、長溝孔、収容室を備え、前記収容室は長溝孔と相互に通じ、前記第二端は、前記第一端に相対し、前記長溝孔は、前記第一端と前記第二端との間に位置し、しかも前記連棒の突出部に対応し、前記長溝孔の長さは、前記突出部の幅より長く、これにより前記連棒の突出部は、前記ベースの長溝孔内において移動可能で、前記第一ストッパー及び前記第二ストッパーは、前記ベースの第一端及び第二端にそれぞれ固定し、前記第一バネと前記第一押さえ部品は、前記ベースの収容室内に設置し、しかも前記第一バネは、前記第一ストッパーと前記第一押さえ部品との間に位置し、これにより前記第一押さえ部品は、前記第一バネにより突っ張られ、前記第二バネと前記第二押さえ部品は、前記ベースの収容室内に設置し、しかも前記第二バネは、前記第二ストッパーと前記第二押さえ部品との間に位置し、これにより前記第二押さえ部品は、前記第二バネにより突っ張られ、及び前記第一押さえ部品と前記第二押さえ部品により、前記連棒の突出部において相互に押さえることを特徴とする請求項２に記載のポータブル電子デバイスのハウジング固定構造。
【請求項４】
前記ポータブル電子デバイスのハウジング固定構造はさらに、蓋体を備え、前記蓋体は、前記本体の配置エリアを覆うことを特徴とする請求項２に記載のポータブル電子デバイスのハウジング固定構造。
【請求項５】
前記ポータブル電子デバイスのハウジング固定構造はさらに、第二係合ロックユニットを備え、前記第二係合ロックユニットは、前記本体の第二収容室内に設置することを特徴とする請求項２に記載のポータブル電子デバイスのハウジング固定構造。
【請求項６】
前記固定部品は、第二凹部を備え、前記第二凹部は、前記第二係合ロックユニットに対応し、これにより前記第二係合ロックユニットに、前記第二凹部に相対して移動するスペースを提供することを特徴とする請求項５に記載のポータブル電子デバイスのハウジング固定構造。
【請求項７】
前記ポータブル電子デバイスのハウジング固定構造はさらに、前記本体に設置する第一突っ張り開きユニットを備え、前記第一突っ張り開きユニットは、突っ張り開き力を提供し、前記第一ハウジングに相対し、これにより、前記第一ハウジングが前記本体から釈放される時、前記第一突っ張り開きユニットの突っ張り開き力により、前記第一ハウジングは自動的に前記本体から分離されることを特徴とする請求項１に記載のポータブル電子デバイスのハウジング固定構造。
【請求項８】
前記固定部品の回転の軸心線は、前記連棒に平行で、前記第一係合ロックユニットは、第一溝を定義し、前記固定部品は、前記第一溝を通過し、前記第一溝と接触し、これにより、前記固定部品は、前記本体の固定室内において、前記第一溝との接触により、予定の位置を保持できることを特徴とする請求項１に記載のポータブル電子デバイスのハウジング固定構造。
【請求項９】
前記ポータブル電子デバイスのハウジング固定構造はさらに、第二ハウジングを備え、前記第二ハウジングは、第二上配置部及び第二下配置部を備え、しかも前記本体の上側は、第二組立て部を備え、前記第二上配置部は、前記本体の第二組立て部に対応し組立てられ、前記第二下配置部は、前記第一係合ロックユニットに対応し、前記固定台はさらに、第二孔を備え、前記第一係合ロックユニットはさらに、第二係合ロック部品及び第二弾性部品を備え、前記第二弾性部品により、前記第二係合ロック部品に作用し、これにより前記第二係合ロック部品の一部は、前記固定台の第二孔外に伸び出し、前記第二ハウジングの第二下配置部は係合ロックされることを特徴とする請求項１に記載のポータブル電子デバイスのハウジング固定構造。
【請求項１０】
前記連棒の第一導引部はさらに、第二導引セクションを備え、前記第二導引セクションは、前記第一係合ロックユニットの第二係合ロック部品に対応することを特徴とする請求項９に記載のポータブル電子デバイスのハウジング固定構造。
【考案の詳細な説明】
【技術分野】
【０００１】
本考案はポータブル電子デバイスのハウジング固定構造に関し、特にポータブル電子デバイスの取り外し式ハウジング上に応用し、電子デバイスのハウジングを安全に固定することができるポータブル電子デバイスのハウジング固定構造に関する。
【背景技術】
【０００２】
現在、携帯電話、PDA、GPS、電子ブック、或いはそれら機能を統合したスマートポータブル電子デバイス等のポータブル電子製品は、多くの人の生活にとって欠かせない携帯物件となっている。このタイプの電子製品では、外側の輪郭の設計で、そのハウジングの色、表面の模様、描かれた図案などが人目をひく焦点となる他、使用者が自分自身の個性を表現する手段ともなり得る。しかし、ハウジングの外型輪郭、色、模様及び図案は、製品に付随するものであるため、消費者は簡単にそれらを改変することはできない。よって、電子製品の外観を自ら改変したいという消費者のニーズに応えるため、任意に取り替え可能なハウジング設計が開発された。
【０００３】
ポータブル電子デバイスの取り替え可能ハウジングに関して、本考案者であるChen等は、特許文献１の特許を獲得している。特許文献１に開示する構造は、ハウジングを便利に取り替え可能な機能を備えるが、より進んだ固定機能を提供し、これにより使用者の誤操作を防止し、或いはアクシデント発生時の結合固定性を提供することはできない。例えば、落とした時には、ハウジングは電子デバイスから簡単に脱落する。本考案は、従来のポータブル電子デバイスのハウジング固定構造の上記した欠点に鑑みてなされたものである。
【先行技術文献】
【特許文献】
【０００４】
【特許文献１】欧州特許第ＥＰ２１８０６６８Ｂ１号明細書
【考案の概要】
【考案が解決しようとする課題】
【０００５】
本考案が解決しようとする課題は、ハウジングの固定に、さらに優れた安定性と堅固性を提供することができるポータブル電子デバイスのハウジング固定構造を提供することである。
【課題を解決するための手段】
【０００６】
上記課題を解決するため、本考案は下記のポータブル電子デバイスのハウジング固定構造を提供する。
ポータブル電子デバイスのハウジング固定構造は、本体、第一ハウジング、第一係合ロックユニット、第一弾性部品、連棒、固定部品を備え、該本体は、上側、下側、左側及び右側を備え、該上側は、第一組立て部を備え、該下側は、該上側に相対し、しかも該下側は、配置エリアを備え、該配置エリアは、固定室を備え、該第一ハウジングは、第一上配置部及び第一下配置部を備え、該第一上配置部は、該本体の第一組立て部に対応して組立てられ、該第一下配置部は、該本体の配置エリアに対応し、該第一係合ロックユニットは、該本体の配置エリアに設置され、該第一係合ロックユニットは、少なくとも固定台、固定部品、第一係合ロック部品及び第一弾性部品を備え、該固定台は、第一孔を備え、しかも該固定台と該固定部品とは相互に合わさり、該第一係合ロック部品は、該固定台の第一孔に通して設置し、該第一弾性部品は、該第一係合ロック部品と該固定部品との間に位置し、弾力作用を該第一係合ロック部品に提供し、これにより該第一係合ロック部品の一部分は、該固定台の第一孔から伸び出し、該連棒は、該本体の配置エリア内に可動状態で設置し、しかも該第一係合ロックユニットまで延伸し、該連棒は、第一導引部を備え、該第一導引部は、第一導引セクションを備え、該第一係合ロック部品に対応し、該固定部品は、回転可能状態で、該本体の配置エリア内に設置し、しかも該第一係合ロックユニットまで延伸し、該固定部品は、第一凹部及び作動端を備え、該第一凹部は、該第一係合ロックユニットの第一係合ロック部品に対応し、該第一係合ロック部品に移動のスペースを提供し、該第一ハウジングは、該本体上に設置され、該第一係合ロック部品により、該第一下配置部に係合してロックされ、該固定部品が回され、該第一凹部が該第一係合ロック部品から離れると、該固定部品は、該第一係合ロック部品を押さえて固定し、好ましくは、連棒は、突出部、回帰ユニットを備え、該回帰ユニットは、該本体の配置エリア内に設置し、該回帰ユニットは、ベース、第一ストッパー、第二ストッパー、第一バネ、第二バネ、第一押さえ部品及び第二押さえ部品を備え、該ベースは、第一端、第二端、長溝孔、収容室を備え、該収容室は長溝孔と相互に通じ、該第二端は、該第一端に相対し、該長溝孔は、該第一端と該第二端との間に位置し、しかも該連棒の突出部に対応し、該長溝孔の長さは、該突出部の幅より長く、これにより該連棒の突出部は、該ベースの長溝孔内において移動可能で、該第一ストッパー及び該第二ストッパーは、該ベースの第一端及び第二端にそれぞれ固定し、該第一バネと該第一押さえ部品は、該ベースの収容室内に設置し、しかも該第一バネは、第一ストッパーと第一押さえ部品との間に位置し、これにより、該第一押さえ部品は、該第一バネにより突っ張られ、該第二バネと該第二押さえ部品は、該ベースの収容室内に設置し、しかも該第二バネは、第二ストッパーと第二押さえ部品との間に位置し、これにより、該第二押さえ部品は、該第二バネにより突っ張られ、該第一押さえ部品と該第二押さえ部品により、該連棒の突出部において相互に押さえ、好ましくはさらに、蓋体を備え、該蓋体は、該本体の配置エリアを覆い、
好ましくはさらに、該本体に設置する第一突っ張り開きユニットを備え、該第一突っ張り開きユニットは、突っ張り開き力を提供し、該第一ハウジングに相対し、これにより、該第一ハウジングが該本体から釈放される時、該第一突っ張り開きユニットの突っ張り開き力により、該第一ハウジングは自動的に該本体から分離され、
好ましくは、該固定部品の回転の軸心線は、該連棒に平行で、該第一係合ロックユニットは、第一溝を定義し、該固定部品は、該第一溝を通過し、該第一溝と接触し、これにより、該固定部品は、該本体の固定室内において、該第一溝との接触により、予定の位置を保持でき、
好ましくはさらに、第二ハウジングを備え、該第二ハウジングは、第二上配置部及び第二下配置部を備え、しかも該本体の上側は、第二組立て部を備え、該第二上配置部は、該本体の第二組立て部に対応し組立てられ、該第二下配置部は、該第一係合ロックユニットに対応し、該固定台はさらに、第二孔を備え、該第一係合ロックユニットはさらに、第二係合ロック部品及び第二弾性部品を備え、該第二弾性部品により、該第二係合ロック部品に作用し、これにより該第二係合ロック部品の一部は、該固定台の第二孔外に伸び出し、該第二ハウジングの第二下配置部は係合ロックされ、
好ましくは、該連棒の第一導引部はさらに、第二導引セクションを備え、該第二導引セクションは、該第一係合ロックユニットの第二係合ロック部品に対応し、
好ましくはさらに、第二係合ロックユニットを備え、該第二係合ロックユニットは、該本体の配置エリア内に設置され、
好ましくは、該固定部品は、第二凹部を備え、該第二凹部は、該第二係合ロックユニットに対応し、これにより該第二係合ロックユニットに、該第二凹部に相対して移動するスペースを提供し、
好ましくは、該本体の配置エリアは、第一収容室、第二収容室、中間収容室及び通路を備え、該第一収容室には、該第一係合ロックユニットを設置し、該第二収容室には、該第二係合ロックユニットを設置し、該中間収容室には、該回帰ユニットを設置し、しかも該中間収容室は、該第一収容室と該第二収容室との間に位置し、該通路には、該連棒を可動状態で設置し、しかも該通路は、第一収容室、第二収容室及び中間収容室と相互に通じ、しかも該通路は、該本体の左側及び右側を貫通する。
【考案の効果】
【０００７】
本考案のポータブル電子デバイスのハウジング固定構造は、ポータブル電子デバイスの取り外し式ハウジング上に応用し、電子デバイスのハウジングを安全に固定することができる。
【図面の簡単な説明】
【０００８】
【図１】本考案一実施例の内部パーツの分解及び構造模式図である。
【図２】本考案一実施例のハウジングが本体に対応する配置の模式図である。
【図３】本考案一実施例の第一係合ロックユニットと連棒の構造及び配置の模式図である。
【図４】本考案一実施例の第一係合ロックユニットと第二係合ロックユニットに固定部品を通して設置する組立て模式図である。
【図５】本考案一実施例の組立て模式図である。
【図６】本考案一実施例の第一ハウジングと本体の組立て模式図である。
【図７】本考案一実施例の第一ハウジングを本体上側に対応させ組立てる拡大模式図である。
【図８】本考案一実施例の第一ハウジングを本体下側に対応させて組立てる拡大模式図である。
【図９】本考案一実施例の係合ロックユニットが、固定部品により固定される様子を示す模式図である。
【図１０】本考案一実施例の固定部品が、係合ロックユニットに相対し、固定が解除される様子を示す模式図である。
【図１１】本考案一実施例の係合ロックユニットが、連棒にまだ連動されず、及び第一下配置部に係合して接続する様子を示す模式図である。
【図１２】本考案一実施例の係合ロックユニットが、連棒に連動され、第一下配置部との係合ロックが解除された様子を示す模式図である。
【図１３】本考案一実施例の回帰ユニットの組立て模式図である。
【図１４】本考案一実施例の回帰ユニットと連棒の配置模式図である。
【考案を実施するための形態】
【０００９】
以下に図面を参照しながら本考案を実施するための最良の形態について詳細に説明する。
【００１０】
図１に示すように、本考案一実施例ポータブル電子デバイスのハウジング固定構造は、本体10、係合ロックアセンブリ12、連棒14、回帰ユニット16及び固定部品18を備える。上記した固定構造により、図２に示すように、第一ハウジング20と第二ハウジング22は、本体10の正面と背面にそれぞれ蓋をして合わさる。
【００１１】
本体10は、上側24、下側26、左側28及び右側30を備える。上側24は、少なくとも１個或いは一対の第一組立て部32及び少なくとも１個或いは一対の第二組立て部34を備える。下側26は、上側24に相対し、しかも下側26は、配置エリア36を備える。配置エリア36は、第一収容室38、第二収容室40、中間収容室42、通路44及び固定室46を備える。中間収容室42は、第一収容室38と第二収容室40との間に位置する。通路44は、第一収容室38、第二収容室40及び中間収容室42と相互に通じ、しかも通路44は、本体10の左側28及び右側30を貫通する。固定室46の入口は、本体10の左側28或いは右側30の内のどちらかに対応する。本実施例中では、固定室46の入口は、本体10の右側30に対応する。
【００１２】
係合ロックアセンブリ12は、第一係合ロックユニット48及び第二係合ロックユニット50を備える。第二係合ロックユニット50と第一係合ロックユニット48は、相同の構成部材配置を備える。よって以下では、第一係合ロックユニット48についてのみ詳細な説明を行い、第二係合ロックユニット50についての説明は行わない。第二係合ロックユニット50は、第一係合ロックユニット48の組成パーツと相同であるため、そのまま相同のパーツ符号を用いて説明を行う。本実施例中では、第一係合ロックユニット48は、本体10の配置エリア36の第一収容室38内に設置する。第一係合ロックユニット48包含固定台52、固定部品54、第一係合ロック部品56、第二係合ロック部品58 、第一弾性部品60及び第二弾性部品62を備える。
【００１３】
図３に合わせて示すように、固定台52は、第一孔64a、第二孔64b及び横向き孔66を備える。好ましくは、第一孔64a及び第二孔64bの方向は、横向き孔66に対して、垂直方向に設置する。第一孔64aには、第一係合ロック部品56を通して設置することができる。第二孔64bには、第二係合ロック部品58を通して設置することができる。横向き孔66には、連棒14の一部分を通過させる。しかも、固定台52と固定部品54とは、相互に合わさり、及び第一弾性部品60により第一係合ロック部品56に作用する。これにより、第一係合ロック部品56の一部は、固定台52の第一孔64a外に伸び出る。同様に、第二弾性部品62により、第二係合ロック部品58に作用し、これにより第二係合ロック部品58の一部は、固定台52の第二孔64b外に伸び出る。こうして、第二ハウジング22を係合してロックすることができる（後述参照）。別に、第二係合ロックユニット50は、本体10の配置エリア36の第二収容室40内に設置される。
【００１４】
連棒14は、本体10の配置エリア36の通路44内に可動状態で設置し、しかも第一係合ロックユニット48と第二係合ロックユニット50まで延伸する。連棒14は、第一端部68a、第二端部68b、突出部70及び第一導引部72を備える。図３に合わせて示すように、第二端部68bは、第一端部68aに相対する。突出部70は、第一端部68aと第二端部68bとの間に位置する。第一導引部72は、第一導引セクション74a及び第二導引セクション74bを備える。第一導引セクション74aは、第一係合ロックユニット48の第一係合ロック部品56に対応する。第二導引セクション74bは、第一係合ロックユニット48の第二係合ロック部品58に対応する。本実施例中では、連棒14はさらに、第二導引部76を備え、第二導引部76は、第一導引セクション78a及び第二導引セクション78bを備える。第一導引セクション78aは、第二係合ロックユニット50の第一係合ロック部品56に対応する。第二導引セクション78bは、第二係合ロックユニット50の第二係合ロック部品58に対応する。
【００１５】
回帰ユニット16は、本体10の配置エリア36の中間収容室42内に配置する。回帰ユニット16は、ベース80、第一ストッパー82a、第二ストッパー82b、第一バネ84a、第二バネ84b、第一押さえ部品86a及び第二押さえ部品86bを備える。ベース80は、第一端88a、第二端88b、長溝孔90を備え、収容室92と長溝孔90は相互に通じる。第二端88bは、第一端88aに相対する。長溝孔90は、第一端88aと第二端88bとの間に位置し、しかも連棒14の突出部70に対応する。
【００１６】
固定部品18は、本体10の配置エリア36の固定室46内に回転可能状態で設置し、しかも第一係合ロックユニット48及び第二係合ロックユニット50まで延伸する。固定部品18は、第一凹部94a、第二凹部94b及び作動端96を備える。第一凹部94aは、第一係合ロックユニット48の第一係合ロック部品56及び第二係合ロック部品58に対応する。第二凹部94bは、第二係合ロックユニット50の第一係合ロック部品56及び第二係合ロック部品58に対応する。作動端96は、本体10の右側30に対応する。
【００１７】
図４、５に示すように、好ましくは、固定部品18の回転の軸心線Xは、連棒14に平行で、しかも第一係合ロックユニット48及び第二係合ロックユニット50は、第一溝98及び第二溝100をそれぞれ定義する。固定部品18は、第一溝98及び第二溝100を通過し、第一溝98及び第二溝100と接触する。これにより、固定部品18は、本体10の固定室46内において、第一溝98及び第二溝100との接触により、予定の位置を保持することができる。別に、作動端96は、マイナス或いはプラスの凹溝を備え、これにより使用者はマイナス或いはプラスのドライバーを作動端96に挿入し、固定部品18を回転させることができる。
【００１８】
一実施例中では、図１、５に示すように、さらに、蓋体102を備え、本体10の配置エリア36を覆う。これにより、上記した固定構造の各パーツを封鎖して定位する。別種の実施例中ではさらに、第一突っ張り開きユニット104及び第二突っ張り開きユニット106を、本体10の左側28及び右側30に設置する。蓋体102には、対応する２個の穿孔108、110を設置し、第一突っ張り開きユニット104及び第二突っ張り開きユニット106を挿入して設置し、局部は突出させる。
【００１９】
別に、図２に合わせて示すように、第一ハウジング20は、少なくとも１個或いは一対の第一上配置部112、及び１個或いは一対の第一下配置部114を備える。第一上配置部112は、本体10の第一組立て部32に対応する。第一下配置部114は、本体10の配置エリア36に対応する。第一ハウジング20は、第一上配置部112及び第一下配置部114により、本体10に設置される。第二ハウジング22はまた少なくとも、１個或いは一対の第二上配置部116及び１個或いは一対の第二下配置部118を備える。第二上配置部116は、本体10の第二組立て部34に対応する。第二下配置部118は、本体10の配置エリア36に対応する。
【００２０】
さらに、図６、７、８に示すように、第一ハウジング20は、第一上配置部112と本体10の第一組立て部32により組立てられる。第一下配置部114と本体10上の第一係合ロックユニット48の第一係合ロック部品56は、相互に係合して接続し、これにより第一ハウジング20は、本体10上に設置され定位される。第二ハウジング22もまた、第二上配置部116及び第二下配置部118により、本体10に設置され、その係合ロック方式は、前記第一ハウジング20と相同であるため、繰り返しの説明と図示は行わない。
【００２１】
図２、６に示すように、上記した突っ張り開きユニット104或いは106は、第一ハウジング20に相対し、本体10に合わさる時、突っ張り開き力を提供する。これにより、第一ハウジング20が、本体10から釈放される時、第一突っ張り開きユニット104及び/或いは第二突っ張り開きユニット106の突っ張り開き力により、第一ハウジング20は自動的に本体10から分離される。
【００２２】
さらに図９に示すように、固定部品18の第一凹部94aは、第一係合ロックユニット48の第一係合ロック部品56及び第二係合ロック部品58から離れ、及び第二凹部94bは、第二係合ロックユニット50の第一係合ロック部品56及び第二係合ロック部品58から離れる。よって、第一係合ロックユニット48及び第二係合ロックユニット50の第一係合ロック部品56及び第二係合ロック部品58は、固定部品18の制限を受け、これにより第一係合ロック部品56及び第二係合ロック部品58は、移動することができない。さらに、固定部品18により、第一係合ロック部品56及び第二係合ロック部品58を固定し、前記の第一ハウジング20及び第二ハウジング22は、本体10から取り外すことができなくなる。
【００２３】
図１０に示すように、固定部品18にある角度の回転を行わせ、これにより固定部品18の第一凹部94aは、第一係合ロックユニット48の第一係合ロック部品56及び第二係合ロック部品58に対応し、移動のスペースを提供し、及び第二凹部94bは、第二係合ロックユニット50の第一係合ロック部品56及び第二係合ロック部品58に対応し、移動のスペースを提供する。
【００２４】
図１１に示すように、連棒14が、第一係合ロックユニット48及び第二係合ロックユニット50に相対し、まだ押されて動いていない状態である時、連棒14の第一導引部72の第一導引セクション74aは、第一係合ロックユニット48の第一係合ロック部品56に対応し、連棒14の第二導引部76の第一導引セクション78aは、第二係合ロックユニット50の第一係合ロック部品56に対応する。しかも、第一係合ロックユニット48及び第二係合ロックユニット50の第一係合ロック部品56は、第一ハウジング20の第一下配置部114と相互に係合して接続し定位する。
【００２５】
固定部品18が、図１０に示すように、ある角度の回転を行われた状態下では、連棒14は、第一係合ロックユニット48及び第二係合ロックユニット50に相対し、F1方向へと押されて移動する(図１２参照)。第一係合ロックユニット48の第一係合ロック部品56は、連棒14の第一導引部72の第一導引セクション74aにより押されて移動し、しかも第二係合ロックユニット50の第一係合ロック部品56は、連棒14の第二導引部76の第一導引セクション78aにより押されて移動する。これにより、第一係合ロックユニット48及び第二係合ロックユニット50の第一係合ロック部品56は、第一ハウジング20の第一下配置部114から離脱し、ロック解除される。
【００２６】
図１３、１４に示すように、回帰ユニット16と連棒14との間の配置関係は、回帰ユニット16のベース80の長溝孔90の長さが、連棒14の突出部70の幅より大きく、これにより連棒14の突出部70は、ベース80の長溝孔90内において移動可能であることを示している。回帰ユニット16の第一ストッパー82a及び第二ストッパー82bは、ベース80の第一端88a及び第二端88bにそれぞれ固定する。第一バネ84aと第一押さえ部品86aは、ベース80の収容室92内に設置し、しかも第一バネ84aは、第一ストッパー82aと第一押さえ部品86aとの間に位置する。これにより、第一押さえ部品86aは、第一バネ84aが生じる弾力により突っ張られる。第二バネ84bと第二押さえ部品86bは、ベース80の収容室92内に設置し、しかも第二バネ84bは、第二ストッパー82bと第二押さえ部品86bとの間に位置する。これにより、第二押さえ部品86bは、第二バネ84bが生じる弾力により突っ張られ、及び第一押さえ部品86aと第二押さえ部品86bにより、連棒14の突出部70を相互に押さえる。よって、連棒14に加えられた力が解放されると、回帰ユニット16により、連棒14をその予定の位置へと戻すことができる。
【００２７】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２８】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２９】
10：本体、12：係合ロックアセンブリ、14：連棒、16：回帰ユニット、18：固定部品、20：第一ハウジング、22：第二ハウジング、24：上側、26：下側、28：左側、30：右側、32：第一組立て部、34：第二組立て部、36：配置エリア、38：第一収容室、40：第二収容室、42：中間収容室、44：通路、46：固定室、48：第一係合ロックユニット、50：第二係合ロックユニット、52：固定台、54：固定部品、56：第一係合ロック部品、58：第二係合ロック部品、60：第一弾性部品、62：第二弾性部品、64a：第一孔、64b：第二孔、66：横向き孔、68a：第一端部、68b：第二端部、70  突出部、72：第一導引部、74a：第一導引セクション、74b：第二導引セクション、76：第二導引部、78a：第一導引セクション、78b：第二導引セクション、80：ベース、82a：第一ストッパー、82b：第二ストッパー、84a：第一バネ、84b：第二バネ、86a：第一押さえ部品、86b：第二押さえ部品、88a：第一端、88b：第二端、90：長溝孔、92：収容室、94a：第一凹部、94b：第二凹部、96：作動端、98：第一溝、100：第二溝、102：蓋体、104：第一突っ張り開きユニット、106：第二突っ張り開きユニット、108：穿孔、110：穿孔、112：第一上配置部、114：第一下配置部、116：第二上配置部、118：第二下配置部。
【図１】
0003173530.tif 000003
【図２】
0003173530.tif 000004
【図３】
0003173530.tif 000005
【図４】
0003173530.tif 000006
【図５】
0003173530.tif 000007
【図６】
0003173530.tif 000008
【図７】
0003173530.tif 000009
【図８】
0003173530.tif 000010
【図９】
0003173530.tif 000011
【図１０】
0003173530.tif 000012
【図１１】
0003173530.tif 000013
【図１２】
0003173530.tif 000014
【図１３】
0003173530.tif 000015
【図１４】
0003173530.tif 000016